(57)【要約】【課題】音場内の音波を検出するマイクロフォンと音場内に音波を送出するピエゾ素子から構成される平面スピーカと、マイクロフォンの出力信号を増幅させるとともにスピーカから送出される音波を音場内において干渉させる騒音制御信号を生成する制御ループ特性を有する制御回路を一体とするモノポール音源により空気調和機の騒音を低減するものである。【解決手段】モノポール音源３を空気調和機１の横断流送風機２の長手方向に、かつ、横断流送風機２から吹き出す流れを挟み込むように、騒音制御周波数帯域の上限値に相当する音の１／４波長より短い間隔で、複数配置することによって、騒音制御境界を形成するものである。【選択図】  図１
2005037447.tif 000002
【特許請求の範囲】
【請求項１】
音場内の音波を検出するマイクロフォンと音場内に音波を送出するスピーカと、マイクロフォンの出力信号を増幅させるとともに前記スピーカから送出される音波を音場内において干渉させる騒音制御信号を生成する制御ループ特性を有する制御回路を一体とするモノポール音源を、空気調和機の横断流送風機の長手方向に、かつ、前記横断流送風機から吹き出す流れを挟み込むように、前記モノポール音源の騒音制御周波数帯域の上限値に相当する音の１／４波長より短い間隔で、複数配置したことを特徴とする空気調和機の騒音制御装置。
【請求項２】
音場内の音波を検出するマイクロフォンと音場内に音波を送出するスピーカと、マイクロフォンの出力信号を増幅させるとともに前記スピーカから送出される音波を音場内において干渉させる騒音制御信号を生成する制御ループ特性を有する制御回路を一体とするモノポール音源を、空気調和機の吹き出し口を囲み込むように、前記モノポール音源の騒音制御周波数帯域の上限値に相当する音の１／４波長より短い間隔で、複数配置したことを特徴とする空気調和機の騒音制御装置。
【請求項３】
騒音制御周波数帯域別に構成された複数のモノポール音源からなる騒音制御周波数帯域別モノポール音源各群を前記横断流送風機から吹き出す流れを挟み込むように、かつ、空気調和機の横断流送風機の長手方向に前記モノポール音源各群の騒音制御周波数帯域の上限値に相当する音の１／４波長より短い間隔で配置したことを特徴とする請求項１記載の空気調和機の騒音制御装置。
【請求項４】
騒音制御周波数帯域の上限値の高いモノポール音源群から順次、空気調和機の吹き出し口を囲むように、前記モノポール音源各群の騒音制御周波数帯域の上限値に相当する音の１／４波長より短い間隔で、配列したことを特徴とする請求項２記載の空気調和機の騒音制御装置。
【請求項５】
モノポール音源において、音場内に音波を送出するスピーカをピエゾ素子から構成される平面スピーカで構成したことを特徴とする請求項１、２、３、４記載の空気調和機の騒音制御装置。
【請求項６】
モノポール音源において、音場内に音波を送出するスピーカをサンドイッチ型磁気回路により構成したことを特徴とする請求項１、２、３、４記載の空気調和機の騒音制御装置。
【発明の詳細な説明】
【０００１】
【発明の属する技術分野】
本発明は、三次元空間において能動的騒音制御を行う装置に係り、例えば、空気調和機の送風ファンに起因した騒音を能動的に打ち消したり、音質を改善する空気調和機の騒音制御装置に関するものである。
【０００２】
【従来の技術】
近年、音の波動性を利用して、音で音を打ち消す能動的消音方法が提案され、空気調和機の送風ファンに起因した騒音を能動的に打ち消したり、音質を改善する空気調和機の騒音制御装置が提案されている（例えば特許文献１参照）。以下、従来の空気調和機の騒音制御装置について図１０を用いて説明する。図１０は従来の空気調和機の騒音制御装置における構成を示す断面図である。図１０において、騒音検出手段として、貫流ファンの回転音検出ピックアップ２２ａと貫流ファンのモータ２１の電磁音検出ピックアップ２２ｂが設けてあり、この他に、複数の発音手段２０や複数個の消音効果検出手段２３も設けてある。複数個の発音手段２０は空気の流れを邪魔しない位置に横列に並べて設置してある。また、空気の吹き出し口における風速、風圧の検出ピックアップ２５を設け、この出力信号を処理することにより吹き出し口からの騒音を予測し、発音手段２０からの音で消音可能である。消音効果検出手段２３はエアフィルター２４を有する吸込みグリルの適当な位置に設置されている。
【０００３】
能動的消音の１つの方法として、空調ダクトなど一次元的に騒音が伝搬されている場合に音の波動性を利用して音で音を打ち消す方法が実用化されているが、三次元空間を対象とした能動型消音は、発音手段の位置を騒音源と一致させ、騒音源から放射される音波と逆位相，同振幅かつ同波長の音波を発音手段から放射すれば音波の破壊干渉となり、理想的には、三次元空間内全体で消音が可能となる。しかしながら、現実的には発音手段と騒音源の位置を一致させることは不可能であるから、三次元空間内での能動的消音においては、複数個の発音手段を騒音源の近くに置かなければならない。
【０００４】
次に、三次元空間内での能動的消音の制御構成を図１１と図１２を用いて説明する。図１１と図１２は従来の空気調和機の騒音制御装置における制御構成を示すブロック図である。図中、入力系である羽根音ピックアップや電磁音ピックアップ、エラーセンサ系である消音効果検出手段と信号処理・制御系である固定フィルタまたは適応フィルタやコントローラから構成されるものであった。
【０００５】
また、上記従来の三次元空間の能動消音装置を適用した空気調和機は、伝音チューブの使用や能動制御に必要な能動手段及び装置を空気の流れを邪魔しない吸込みグリルの上などへの配置を可能とし、空気調和機内への設置制約を軽減したものであった。
【０００６】
従来、もう１つの能動的消音方法として、モノポール音源（モノポール法）を利用したものがある。モノポール法は、外部騒音を検出するマイクロフォンと近接して設けられたスピーカとマイクロフォン入力が最小となるようなゲインと位相を調整する制御回路から構成され、エラーマイクロフォンを必要としないことから外部の音響経路に依存しない消音が可能であるという特徴がある（例えば特許文献２参照）。
【０００７】
モノポール音源の制御回路は、一般的にアナログフィルターで構成され、二次音源であるスピーカの音響特性やモノポール音源発振抑止のため、比較的狭帯域の騒音制御に限られている。
【０００８】
以下、従来のモノポール音源を利用した能動的消音装置について図１３を用いて説明する。図１３は従来の能動的消音装置を示すブロック図である。図中、モノポール音源の制御回路として、デジタルフィルタによる適応制御を用いたものである。また、デジタルフィルタによるモノポール音源を単一乃至複数用いることで広範囲な空間の消音可能としたものである。
【０００９】
【特許文献１】
特許第３０７２１７４号公報
【特許文献２】
特開平９−２６７９３号公報
【００１０】
【発明が解決しようとする課題】
しかしながら上記従来の第１の構成は、騒音検出手段として貫流ファンの回転音検出ピックアップ２２ａと貫流ファンのモータ２１の電磁音検出ピックアップ２２ｂ、空気の吹き出し口における風速、風圧の検出ピックアップ２５などの入力系を有し、出力系である複数の発音手段２０、複数の消音効果検出手段２３と各ピックアップからの入力信号より固定フィルタまたは適応フィルタやコントローラによって吹き出し口からの騒音を予測して発音手段からの音で消音可能としたものであり、デバイスからの多入力信号と消音効果検出手段からの消音誤差信号と風速・風圧から騒音を予測する技術が必要となり、騒音の能動制御システムが非常に複雑になるという課題を有していた。
【００１１】
また、空気調和機の騒音源と考えられる貫流ファンやファンモータ２１から遠く離れた吸い込みグリルに配置された消音効果検出手段２３の複数の点では、貫流ファンの回転音やファンモータ２１の電磁音以外の騒音も検出するため、消音誤差は常に発生し、騒音低減効果が期待できないという課題を有していた。
【００１２】
さらに、伝音チューブの使用や能動制御に必要な能動手段及び装置を、空気調和機の空気の流れを妨害しない個所、例えば、吸込みグリルの上などへの配置を可能とした構成では、逆に空気調和機内に伝音チューブを引き回す複雑な設計や能動制御に必要な手段や装置の設置スペースを確保しなければならないという課題も有していた。
【００１３】
上記従来の第２のデジタルフィルタによる適応制御を用いたモノポール音源の構成では、Ａ／Ｄ変換、Ｄ／Ａ変換、フィルタリングに要する必要計算時間に関わる時間遅れが発生し、マイクロフォンとスピーカの間隔が３ｃｍのモノポール音源での消音周波数範囲は０＜ｆ≦５０Ｈｚと極低周波騒音となり、数百ＨｚのＮｚ・２Ｎｚ音（Ｎ：ファン回転数（ｒｐｓ）ｚ：ファン翼枚数）付近を中心にブロードに広がる空気調和機の騒音（Ａ特性）に対しては騒音低減効果がほとんど得られないという課題を有していた。
【００１４】
たとえ、Ａ／Ｄ変換、Ｄ／Ａ変換、フィルタリングに要する必要計算時間などが、ＤＳＰの飛躍的な進歩により１ｋＨｚ付近まで消音が可能となったとしても、三次元空間の騒音制御を行うには、例えば空気調和機の吹き出し口の周辺に、高価なＤＳＰからなるモノポール音源を複数配置する必要があり、空気調和機の騒音制御に相当のコストがかかるという課題も有していた。
【００１５】
また、モノポール音源による騒音の能動制御は、二次音源となるスピーカの音響特性及びモノポール音源自身の発振現象抑止ため、アナログフィルタ及びデジタルフィルタを用いたどちらの方式でも騒音制御の周波数帯域が比較的狭帯域に限られ、空気調和機の広帯域に亘る騒音の低減には向かないという課題を有していた。
【００１６】
本発明は、このような従来の課題を解決するものであり、アナログフィルタを制御回路として用いたモノポール音源による空気調和機の簡単な構成で、かつ、低コストの騒音制御手段を提供することを目的とする。
【００１７】
本発明は従来の課題を解決するものであり、より騒音低減効果の高い空気調和機の騒音制御装置を提供することを目的とする。
【００１８】
また、本発明は従来の課題を解決するものであり、空気調和機への設置自由度が向上した空気調和機の騒音制御装置を提供することを目的とする。
【００１９】
そして、本発明は従来の課題を解決するものであり、モノポール音源にて広帯域にわたる空気調和機の騒音制御装置を提供することを目的とする。
【００２０】
【課題を解決するための手段】
上記課題を解決するために本発明は、音場内の音波を検出するマイクロフォンと音場内に音波を送出するスピーカと、マイクロフォンの出力信号を増幅させるとともに前記スピーカから送出される音波を音場内において干渉させる騒音制御信号を生成する制御ループ特性を有する制御回路を一体としたモノポール音源を、前記モノポール音源の騒音制御周波数帯域の上限値に相当する音の１／４波長より短い間隔で、横断流送風機の長手方向に、かつ、空気調和機の横断流送風機の吹き出す流れを挟み込むように、複数配置するものである。
【００２１】
上記モノポール音源は、マイクロフォン、スピーカ及びアナログフィルタを用いた前記制御回路から構成されることによって、非常に簡単なシステムでかつ、低コストで空気調和機の騒音制御装置が実現できるという効果が得られる。
【００２２】
上記ピエゾ素子から構成される平面スピーカあるいはサンドイッチ型磁気回路構成される薄形スピーカとマイクロフォン，制御回路を一体化することによって、前記モノポール音源自体を薄形構成とすることが可能となり、横断流送風機の長手方向に、前記モノポール音源を騒音制御周波数帯域の上限値に相当する音の１／４波長より短い間隔で複数配置することによって、横断流送風機の近傍に、複数のモノポール音源による騒音制御境界が形成され、空気調和機の吹き出し口や吸込み口など騒音放出個所から三次元空間に広がる騒音制御効果が得られる。
【００２３】
また、上記薄形化されたモノポール音源によって、空気調和機内への前記モノポール音源の設置自由度が向上するとともに、また、伝音チューブ等を用いる必要もないため、空気調和機自体の設計自由度が得られる。
【００２４】
さらに、上記薄形化されたモノポール音源を騒音制御周波数帯域の上限値に相当する音の１／４波長より短い間隔で空気調和機の吹き出し口を囲み込むように配置することによって、非常に簡単な構成で、空気調和機の吹き出し口に形成された騒音制御境界を形成することができ、前記吹き出し口から三次元空間に広がる騒音に対する騒音制御効果が得られる。
【００２５】
上記モノポール音源の騒音制御帯域が狭帯域に限られるという課題を解決するために、騒音制御周波数帯域別モノポール音源各群を、空気調和機の横断流送風機から吹き出す流れを挟み込むように、かつ、空気調和機の横断流送風機の長手方向にモノポール音源各群の騒音制御周波数帯域の上限値に相当する音の１／４波長より短い間隔で配置したものである。あるいは、騒音制御周波数帯域別モノポール音源群を騒音制御周波数帯域の上限値の高い前記モノポール音源群から順次、空気調和機の吹き出し口を囲むように、前記モノポール音源各群の騒音制御周波数帯域の上限値に相当する音の１／４波長より短い間隔で、配列するものである。
【００２６】
上記構成により、広い周波数帯域に亘る空気調和機の騒音制御効果が得られる。
【００２７】
【発明の実施の形態】
以下、本発明の実施の形態について図面を参照して説明する。
【００２８】
まず、自由音場における二次音源の配置に関して説明する。特許文献１等には、二次音源を少なくとも消音対象騒音の波長の１／２以内に複数個配置すると記載されている。
【００２９】
これに対し、図６は騒音の能動制御における位相誤差と振幅誤差をパラメータとした時の理論的な騒音低減量を示したものである。例えば、任意の騒音と二次音源からの発生音が位相誤差１５°、振幅誤差２０％の時には、騒音の能動制御の結果、騒音低減量は約１０ｄＢ得られるということである。騒音の能動制御により、十分な騒音低減効果を得るためには、消音対象騒音に対し二次音源からの発生音は、少なくとも位相誤差で±４５°（１／４波長）以内であることが望ましいことがわかる。言い換えると、自由音場における騒音の能動制御では、十分な騒音低減量を獲得するためには、二次音源を消音対象騒音の１／４波長以内の間隔で騒音源を囲むことが必要となる。
【００３０】
（実施の形態１）
図１は本発明の実施の形態１における空気調和機の騒音制御装置を示した断面図であり、１は空気調和機であり、２は横断流送風機のクロスフローファンであり、３はマイクロフォンとスピーカと音場内において干渉させる騒音制御信号を生成する制御ループ特性を有する制御回路１１を一体とするモノポール音源である。上記モノポール音源３は、横断流送風機２から吹き出す流れ４に対向するように、かつ、横断流送風機２の長手方向に、前記モノポール音源３の騒音制御周波数帯域の上限値に相当する音の１／４波長より短い間隔で、横断流送風機２の近傍に配置される。図１の場合は、リアガイダ５及び水受け皿下面６に複数のモノポール音源３が配置されている。
【００３１】
ここで、モノポール音源３の構造について図５を用いて説明する。７は音場内の音波を検出するマイクロフォンであり、９は音場内に音波を送出するピエゾ素子８から構成される平面スピーカである。前述のように、近年、携帯端末の普及とともに圧電セラミックやピエゾフィルムなどのピエゾ素子を応用した発音手段やサンドイッチ型磁気回路による発音手段が開発され、騒音の能動制御においては、バックキャビティ１０も含めて、薄くてコンパクトな二次音源を構成することが可能となった。また、サンドイッチ型磁気回路によるスピーカで構成されたモノポール音源は、図１４のような構造をとる。
【００３２】
１１は、マイクロフォン７の出力信号を増幅させるとともに前記スピーカ９から送出される音波を音場内において干渉させる消音信号を生成する制御ループ特性を有する制御回路である。アナログ回路で構成される制御回路１１は、バックキャビティ１０内あるいは、モノポール音源３の背面に配設されることで、マイクロフォン７、スピーカ９との一体化・薄形化が図れ、リアガイダ５や水受け皿６下面に配することができる。これにより、モノポール音源配置の自由度及び空気調和機の設計自由度が増すと共に、空気調和機の騒音源の近傍に前記モノポール音源を配することが可能となる。
【００３３】
以上に説明したように、空気調和機への騒音制御装置の配置やモノポール音源の構造によって、モノポール音源３のマイクロフォン７は、空気調和機１の吹き出し口１５から拡散される騒音１７を検出し、制御回路１１は、マイクロフォン７の位置で干渉させる騒音制御信号を生成し、２次音源であるスピーカ９から風の流れ４に向かって打ち消し音を発音する。打ち消し音は、マイクロフォン７を中心に騒音制御周波数帯域の上限値に相当する音の１／４波長の範囲において、騒音制御領域１８を形成する。上記モノポール音源３をクロスフローファン２の長手方向に騒音制御周波数帯域の上限値に相当する音の１／４波長より短い間隔でリアガイダ５及び水受け皿下面６に複数個配置することにより、吹き出す風の流れ４に対向する騒音制御境界１８が形成され、この騒音制御境界１８を通過する騒音１７は、騒音制御され、消音あるいは、音質が変化されることになる。
【００３４】
図７は、空気調和機の流速シミュレーション解析結果であり、流速の大きな個所１３のみを示してある。空気調和機の横断流送風機２の騒音は、流れの境界層内の渦、後流放出渦の加速度運動、上流から流れてくる渦やクロスフローファンの翼がスタビライザ１２付近を通過する際に発生する圧力変動により励起されると言われており、クロスフローファン２の内部の流れと吐出翼列、リアガイダ５及びスタビライザ１２付近は流速の速い個所１３であり、流れによる騒音発生メカニズムから空気調和機１の騒音源は、前記リアガイダ５及びスタビライザ６付近と推測できる。
【００３５】
図８は、上記モノポール音源３を、リアガイダ５及び水受け皿下面６に、騒音制御周波数帯域の上限値に相当する音の１／４波長より短い間隔で空気調和機の横断流送風機の吹き出す流れを挟み込むように複数個配置した騒音低減効果の検証を行うモデルの断面図である。上記検証モデルでは、空気調和機の疑似騒音源として、吐出翼列の部分に配したスピーカ１４により空気調和機の疑似騒音を発生させている。評価ポイントは、空気調和機の前面中央部から水平方向に１ｍ，垂直方向に０．８ｍの位置である。
【００３６】
図９は、上記検証モデルによる騒音制御効果を示すものであり、（ａ）は吹き出し口付近の騒音制御効果、（ｂ）は評価ポイントでの騒音制御効果を示している。リアガイダ５及び水受け皿下面６という騒音源の近辺に形成された騒音制御境界１８により、騒音源から放射された騒音１７はすぐに消音され、空気調和機１から離れた空間においても騒音制御効果が得られていることがわかる。
【００３７】
したがって、上記モノポール音源３を室内送風機１のクロスフローファン２の長手方向に前記モノポール音源の騒音制御周波数帯域の上限値に相当する音の１／４波長より短い間隔で複数個、騒音源の近傍に配置することにより、騒音源から放射された騒音を騒音源近傍の騒音制御境界で消音することにより三次元空間に伝搬する騒音を抑制制御することができる。
【００３８】
（実施の形態２）
図２は本発明の実施の形態２を示したもので、複数の前記モノポール音源３を、モノポール音源の騒音制御周波数帯域の上限値に相当する音の１／４波長より短い間隔で空気調和機の吹き出し口１５を囲み込んだものである。
【００３９】
図３は、空気調和機１の吹き出し口１５を複数のモノポール音源３で囲み込むことにより騒音制御を行う方法を示したものである。空気調和機の騒音１７は、吹き出し口１５から三次元空間に放出され、拡散していく。前記吹き出し口１５からの騒音は、吹き出し口１５に囲むように配された複数のモノポール音源３によって騒音制御境界１８が形成されることになる。
【００４０】
したがって、この実施の形態２によれば、空気調和機１の吹き出し口１５の周りに複数のモノポール音源３を配するという比較的簡単な構成により、吹き出し口１５に形成された騒音制御境界１８により三次元空間に伝搬する騒音を抑制制御することができる。
【００４１】
（実施の形態３）
図１５は本発明の実施の形態３を示したもので、複数の騒音制御帯域別モノポール音源群３、３’、３”を、空気調和機１の横断流送風機２から吹き出す流れ４を挟み込むように、かつ、空気調和機の横断流送風機２の長手方向に、モノポール音源各群の騒音制御周波数帯域の上限値に相当する音の１／４波長より短い間隔で配列したものである。
【００４２】
そして、この実施の形態３によれば、モノポール音源の騒音制御周波数帯域が限定される場合でも、騒音制御帯域別の複数のモノポール音源群を空気調和機の横断流送風機から吹き出し方向に沿って並べられることにより、広帯域の騒音制御境界が形成され、空気調和機のように広帯域に亘る騒音の制御も可能となる。
【００４３】
（実施の形態４）
図４は本発明の実施の形態４を示したもので、複数の騒音制御帯域別モノポール音源群３、３’、３”を、空気調和機の吹き出し口１５を囲うように、騒音制御周波数帯域の上限値が高い前記モノポール音源群から順次、前記モノポール音源各群の騒音制御周波数帯域の上限値に相当する音の１／４波長より短い間隔で配列したものである。
【００４４】
例えば、モノポール音源群３、３’、３”の騒音制御周波数帯域の上限値が１０００Ｈｚ、７００Ｈｚ、３００Ｈｚとした場合、それぞれの周波数に対応する音の１／４波長は、約８ｃｍ、約１２ｃｍ、約２７ｃｍとなる。モノポール音源各群に対応する騒音制御各境界を形成するためには、モノポール音源の有限の大きさを考慮して、空気調和機の吹き出し口を波長の短いモノポール音源群３から配置しなければならない。
【００４５】
そして、この実施の形態４によれば、モノポール音源の騒音制御周波数帯域が限定される場合でも、騒音制御帯域別の複数のモノポール音源群により空気調和機の吹き出し口を付近に広帯域の騒音制御境界が形成され、空気調和機のように広帯域に亘る騒音の制御も可能となる。
【００４６】
（実施の形態５）
図５は、実施の形態１で示したように、ピエゾ素子から構成される平面スピーカで構成されたモノポール音源の構造を示したものである。７は音場内の音波を検出するマイクロフォンであり、９は音場内に音波を送出するピエゾ素子８から構成される平面スピーカであり、１１は、マイクロフォン７の出力信号を増幅させるとともに前記スピーカ９から送出される音波を音場内において干渉させる消音信号を生成する制御ループ特性を有する制御回路１１である。アナログ回路で構成される制御回路１１をバックキャビティ１０内あるいは、モノポール音源３の背面に配することで、マイクロフォン７、スピーカ９との一体化・薄形化が図れる。
【００４７】
したがって、この実施の形態５によれば、リアガイダ５や水受け皿６下面に配することができ、モノポール音源配置の自由度及び空気調和機の設計自由度が増すと共に何よりも、空気調和機の騒音源の近傍に配された複数のモノポール音源による騒音制御境界により三次元空間に伝搬する騒音の抑制制御する効果が期待できる。
【００４８】
（実施の形態６）
図１４は、サンドイッチ型磁気回路構成される薄形スピーカ９’から構成されるモノポール音源の構造を示したものである。アナログ回路で構成される制御回路１１、マイクロフォン７、スピーカ９との一体化・薄形化により、実施の形態４と同様の効果が期待できる。
【００４９】
【発明の効果】
上記から明らかなように、本発明は、音場内の音波を検出するマイクロフォンと音場内に音波を送出するピエゾ素子から構成される平面スピーカと、マイクロフォンの出力信号を増幅させるとともに前記スピーカから送出される音波を音場内において干渉させる騒音制御信号を生成する制御ループ特性を有する制御回路を一体としたモノポール音源により、非常に簡単なシステムでかつ、低コストな空気調和機の騒音制御装置が得られるという効果を奏する。
【００５０】
また、ピエゾ素子から構成される平面スピーカあるいはサンドイッチ型磁気回路構成される薄形スピーカによりモノポール音源の二次音源を構成することで、モノポール音源の薄形化が図れ、空気調和機に対してモノポール音源の配置の設計自由度が増すという効果を奏する。
【００５１】
また、上記モノポール音源の空気調和機内への配置の設計自由度が増したことで、空気調和機の騒音源の近傍にモノポール音源を配置することが可能となり、騒音源から放射された騒音を複数のモノポール音源により形成された騒音制御境界で消音することにより空気調和機から三次元空間に伝搬する騒音の抑制制御ができるという効果も奏する。
【００５２】
また、本発明は、前記モノポール音源の広帯域の騒音制御が可能となり、空気調和機のようにブロードに広がる騒音の制御も可能となる。
【００５３】
また、本発明は、空気調和機の吹き出し口を囲み込むように、モノポール音源を配置して騒音制御境界を形成するもので、この構成によれば比較的簡単に三次元空間に伝搬する吹き出し口からの騒音の抑制制御ができるという効果を奏する。
【００５４】
また、本発明は、騒音制御周波数帯域別に構成された複数のモノポール音源各群を横断流送風機から吹き出す流れを挟み込むように、かつ、横断流送風機の長手方向にモノポール音源各群の騒音制御周波数帯域の上限値に相当する音の１／４波長より短い間隔で配列するものである。あるいは、複数の騒音制御帯域別モノポール音源群を、騒音制御周波数帯域の上限値の高い前記モノポール音源群から順次、空気調和機の吹き出し口を囲むように、前記モノポール音源各群の騒音制御周波数帯域の上限値に相当する音の１／４波長より短い間隔で配列するもので、モノポール音源が狭帯域の騒音制御帯域しか有しない場合でも、騒音制御帯域別の複数のモノポール音源群により広い騒音制御周波数帯域を有する騒音制御境界の形成が可能となり、空気調和機のようにブロードに広がる騒音の制御も可能となる。
【図面の簡単な説明】
【図１】本発明の実施の形態１における空気調和機の騒音制御装置を示す断面図
【図２】本発明の実施の形態２における空気調和機の騒音制御装置を示す平面図
【図３】本発明の実施の形態２における空気調和機の騒音制御装置の作用を説明する模式図
【図４】本発明の実施の形態４における空気調和機の騒音制御装置を示す平面図
【図５】ピエゾ素子を用いたスピーカによるモノポール音源の構成を示す模式図
【図６】位相誤差と振幅誤差をパラメータとした時の理論的な能動的騒音制御の騒音低減量を示すグラフ
【図７】空気調和機の流速シミュレーション解析結果を示す模式図
【図８】本発明の実施の形態１における空気調和機の騒音制御装置の騒音低減効果を検証する模式図
【図９】本発明の実施の形態１における空気調和機の騒音制御装置の騒音制御効果を示す特性図
【図１０】従来の空気調和機の騒音制御装置における構成を示す断面図
【図１１】従来の空気調和機の騒音制御装置における制御機構を示すブロック図
【図１２】従来の空気調和機の騒音制御装置における制御機構を示すブロック図
【図１３】従来の能動的消音装置を示すブロック図
【図１４】サンドイッチ磁気回路により構成されたスピーカによるモノポール音源の構成を示す斜視図
【図１５】本発明の実施の形態３における空気調和機の騒音制御装置を示す模式図
【符号の説明】
１  空気調和機
２  横断流送風機
３  モノポール音源
４  吹き出す流れ
８  ピエゾ素子
１５  吹き出し口
【図１】
2005037447.tif 000003
【図２】
2005037447.tif 000004
【図３】
2005037447.tif 000005
【図４】
2005037447.tif 000006
【図５】
2005037447.tif 000007
【図６】
2005037447.tif 000008
【図７】
2005037447.tif 000009
【図８】
2005037447.tif 000010
【図９】
2005037447.tif 000011
【図１０】
2005037447.tif 000012
【図１１】
2005037447.tif 000013
【図１２】
2005037447.tif 000014
【図１３】
2005037447.tif 000015
【図１４】
2005037447.tif 000016
【図１５】
2005037447.tif 000017